(57)【要約】【課題】同タイプのケースとの連結の可能性を有するデジタル記録キャリアのためのワンパーツのケースを提供する。【解決手段】図１および図７に示されるものと同タイプのケースとの連結の可能性を有し、１つまたはそれ以上折り畳み可能な継手（３）によって連結される下部（１）および上部（２）から構成される射出成形の技術を用い、重合体材料で出来ているデジタル記録キャリアのためのワンパーツのケース。ケースの部分は、球面突起（７）および球面くぼみ（８）の形で同タイプのケースを介在させるために使われる要素、および、弾性コンソール（４）およびスロット（６）の形で同タイプのケースを相互接続する要素と適合する。ケースは、開いた上部のケースの弾性コンソール（４）の緩い端部を閉じた下部のケースのスロット（６）に押圧することにより、２つまたはそれ以上の同タイプのケースが分離可能に積重ねられる。積重ねられたケースは、ケースの運動がない単一の一体型の集合を表わす。積重ねは、その積重ねを伸長することによっていかなる点においてでも分解することができる。ディスクは、積重ねの個々のケースの各々を係止するための接続を分解することによって、積み重ねられたケースを分離すること無く積重ねられたケースに挿入、または、そこから取り出すことができる。
2006525200.tif 000002
【特許請求の範囲】
【請求項１】
丸コーナおよび丸みのある前方側面を有するほぼミラー対称の薄い正方形プレートの形状を有し、ＣＤまたはＤＶＤのような円形の平面ディスクを保持するために形成された内部を有する下部（１）および上部（２）から構成された同タイプのケースとの連結の可能性を有するデジタル記録媒体のためのワンパーツのケースであって、
前記ケースの前記下部（１）および前記上部（２）は、完全に開いている場合、前記ケースの前記下部（１）の後部を前記ケースの前記上部（２）の前記後部、および、このブリッジの中央で最も薄い弧形と連結する短いブリッジの形状を有する１つまたはそれ以上の折り畳み継手（３）によって連結され、
前記ディスクにより被覆されない前記ケースの前記下部（１）の２つまたはそれ以上の角表面は、矩形の板に設計された同タイプの前記ケースを結合するため、弾性コンソール（４）と適合するので、その３つの側面上の前記下部（１）は、前記下部（１）との連結からそれを開放し、前記下部（１）と連結される第４の側面上にあり、その付け根は、溝（１７）と適合するスロット（５）と適合し、そして、緩い端部は、前記下部（１）の外面の方へ直角に曲げられるので、それは、歯（１９）を有する低い突出要素（１８）を形成し、最初は前記下部（１）の前記内部の方へ小さい角度で傾斜し、
前記ケースの前記上部（２）の２つまたはそれ以上の角表面は、前記突出要素（１８）が他のケースの歯（１９）によって挿入されることができる前記弾性コンソール（４）の要素（１８）を突出させることによりミラー対称にある前記同タイプの前記ケースを結合するためのステップ（２０）を有する前記スロット（６）と適合し、
前記ケースの前記外面は、前記下部（１）の前記外側の部品上の少なくとも３つの球面突起（７）、前記球面突起（７）と等しいまたはそれ以上の直径を有し、前記球面突起（７）にミラー対称である前記上部（２）の前記外面上の少なくとも３つの球面くぼみ（８）、および、前記ケースの前記上部（２）の前記外面の前記前方側面に設計された前記ケースの内容を記録するラベルのための前記浅い矩形のくぼみ（９）の形で前記ケースに介在するため、前記要素と適合し、
前記上部（２）の前記前方側面は、歯（１４）を有して垂直のつまみ（１３）と適合する２つの横方向のスロット（１１）および横の溝（１２）によって形成される前記弾性コンソール（１０）と適合し、前記ケースの前記下部（１）の前の側面には、前記エッジ（１６）の下に溝（１５）があり、
前記ケースの前記下部（１）および前記ケースの前記上部（２）の前記結合は、前記歯（１４）と前記溝（１５）との間の嵌め込み継手によって係止されるという事実により特徴付けられるケース。
【請求項２】
前記射出成形の技術により前記重合体材料で作成されている、という事実により特徴付けられる請求項１に記載の同タイプのケースとの連結の可能性を有するデジタル記録キャリアのためのワンパーツのケース。
【請求項３】
同タイプの前記ケースは、前記同タイプの２つまたはそれ以上のケースの分離可能な積重ねに、前記下部の閉じたおよび係止されたケース上に、上部ケースは、前記球面突起（７）を有する前記下部のケースと同じ方向に、物理的に正しい位置に置かれ、前記上部ケースの前記下部（１）上で前記下部のケースの前記上部（２）およびケースの相互接続するための前記要素上の前記球面くぼみ（８）に摺動するので、前記上部の開いたケースの前記弾性コンソール（４）の前記緩い端部で歯（１９）を有する突出要素（１８）は、前記下部のケースの前記上部（２）上で適合する段階状のスロット（６）に手で押圧されるような方法で介在させるための前記要素を用いて、手で連結されるという事実によって特徴付けられる請求項１および２に記載の同タイプのケースの連結手順。
【発明の詳細な説明】
【技術分野】
【０００１】
本発明は、係合‐開放スナップコネクタによって、同タイプの他の積重ねに接続されることが可能で、単一のピースで構成される、ＣＤ、ＤＶＤなどのディスクを収納するためのケースに関する。積重ねられたケースは、挿入される、または、１つずつケースを分離せずに持ち出すことができるディスクを有する１つの固体の集合として輸送することができる。
【０００２】
特許の国際分類によると、本発明は以下の技術分野に属する：
・Ｇ１１Ｂ３３／０４  −  キャビネット、ケース、ディスク媒体の収納に適切な棚。
・Ｂ６５Ｄ８５／３８  −  光デバイスまたは他の感光性測定、または制御装置のための容器、パッキング要素。
【背景技術】
【０００３】
ＣＤ、ＤＶＤおよび他の平面ディスクなどのデジタル記録媒体は、輸送および使用中、保護するために、これらの製品のために特別に設計されたケースへ収納される。ディスクの有無にかかわらずディスク収納ケースは、輸送および使用中、様々なパッケージ、特別に設計されたキャビネット、棚の上およびケース内に収められる。前述のオフィスアクセサリおよび家具を用いて、仕事場および他の場所で多数のケースを取り扱うことは、この問題の単純かつ経済的な解決法を提供しない。これらのケースを取り扱うために追加的な装置を導入すると、装置を取り扱うのに必要なより大きい空間およびより長い時間を必要とするので、問題は増加する。
【０００４】
本発明は、さらなる追加的な連結要素が無くても、様々な高さに積重ねられ、分離することも可能で、同時に、輸送および作業中の処理に適切である単一ピースから成るケースを用いたディスク収納ケースの製造、輸送および処理の技術的な問題を解決する。
【０００５】
現代市場において、連結して積重ねられるようなディスク収納ケースは存在しない。ケースは一般的に、背の低い矩形型もしくは厚さの異なる正方形型プリズムの態様で使用され、作業場（ｗｏｒｋｐｌａｃｅ）で、特別に設計されたキャビネット、棚の上、ラックおよびケースの中に収納される。特許文献において、積重ねるように連結可能なディスク収納ケースを提供するような解決法は存在しなかった。
【０００６】
仕事場およびどこか他の所で多数のケースを処理する問題は、例えば特許文献ＮＬ９３００２６１、ＥＰ１１１７０９８、ＷＯ０２０８０１７７、ＷＯ００６８９５０、ＤＥ１９８５１９７２およびＷＯ９６１３０３６に開示される様々なバージョンの分離可能なラックによって解決された。前述の解決法は、いずれも、ケースが挿入され、必要に応じて様々な高さまたは長さの垂直または水平な積重ねに結合されてもよい異なる収納要素の用途に基づいている。収納要素に挿入されるケースが、ケースが挿入され、および／または、収納要素から外され、輸送の間ケースがラックから抜け出てしまう方向における特定の運動の自由をまだ有するので、これらの収納要素は、輸送のために適切でない垂直または水平な積重ねにケースを配置することを可能にする。前述のいくつかのラックは、連結されず、かつ、すべての方向において積重ねを分解する可能性なしで一方の上に他方を、または、一方の隣に他方を取り付ける収納要素から成る。
【０００７】
特許ＷＯ９２０３８２、ＷＯ９２２２９０２およびＧＢ２２８２５２４に関する文書は、単一のディスクにアクセスするためにそれらが回転することができる枢軸によって、相互連結されたディスク収納ケースのため、保持要素でできているラックを開示している。収納要素およびケースは、ラックの枢軸周辺で回転の自由を有するので、これらのラックは輸送に適切でない。最高水準の技術で言及される解決法は、ディスクケースの処理問題をも認識し、それを解決する方法を示す。
【０００８】
解決法は、輸送および処理のために適切な、同タイプのケースで追加的な連結要素なしでも、任意の高さの比較的一体型の分離可能な積重ねに組み立てられることができる一体型のケースのような単純なケースである。それは、本発明において提供されたまさにそのような解決法である。
【特許文献１】ＮＬ９３００２６１
【特許文献２】ＥＰ１１１７０９８
【特許文献３】ＷＯ０２０８０１７７
【特許文献４】ＷＯ００６８９５０
【特許文献５】ＤＥ１９８５１９７２
【特許文献６】ＷＯ９６１３０３６
【特許文献７】ＷＯ９２０３８２
【特許文献８】ＷＯ９２２２９０２
【特許文献９】ＧＢ２２８２５２４
【発明の開示】
【発明が解決しようとする課題】
【０００９】
本発明によれば、ディスク収納ケースは、射出成形技術を用いて重合体材料で作られていた。それは、可撓性の折り畳み継手によって相互連結され、その内側面には、ディスクのためのくぼみがある上部保持プレートおよび下部保持プレートから構成される。ケースは、完全に開いている一方で射出成形されるので、プレートは１つのレベルに存在する。完成したケースは、下部プレートの方へ上部プレートを曲げ、内側の接合面が接触するまで、折り畳み継手の周囲を、ケースの一部を一方から他方へ回転させることによって閉じられる。閉じられたケースは、ケースの正面部分に設けられたケースの下部および上部間の分離可能な連結を嵌めることによって係止される。
【課題を解決するための手段】
【００１０】
ケースの上部および下部の外面は、積重ねの間、ケースを内部に配置するための要素と適合する。下部の外面は突起と適合し、上部の外面は２つのケースの位置決めのためのくぼみと適合する。突起およびくぼみの配置は、上部ケースの下部の部品上の突起が下部ケースの上部くぼみに適合する、ように存在する。一方の上に他方が配置されかつ適切に適合した２つのケースは、嵌め込んで分離可能な結合を形成するケース相互接続要素によって、積重なるように連結することができる。
【００１１】
ケースを相互接続するための要素が設けられるのは、ケースの正方形型上下部分の角であって、そこはケースに収納されるディスクによって覆われない。ケース下部の角は、湾曲した緩んだ端部を有する弾性コンソールと適合し、ケース上部の角は、段階状のスロットと適合する。上部ケースの下部の湾曲したコンソール端部は、下部のケースの上部の段階状のスロットに適合する。したがって、嵌め込んで分離可能な結合を形成するように弾性コンソールおよびスロットは配置される。上部ケースの湾曲したコンソール端部は、上部のケース開口で下部のケースのスロットに押圧される。互いに連結された２つの閉じたケースは、いかなる方向にもケースを移動する事無く、１つの全体を機械的に表わす積重ねを形成する。２つのケースを連結する結合力は、多数のケースの重量より大きいので、いくつかのケースの積重ねは、ケースの積み重ねられたセットの上部を保持することにより輸送することができる。２つの連結されたケースの積重ねは、一方の手で底部ケースを保持し、他方の手で上部ケースを持ち上げることにより、手で積重ねを伸ばして分解することができる。これは、ケースを相互連結するための要素によって形成された嵌め込み式の分離可能な結合を分離する。新しいケースは、積重ねのいかなる位置に対しても付け加えたり、取り外したりすることができる。ディスクは、連結されたケースの積重ねを分離すること無く積み重ねられたケースに挿入したり取り出したりすることができる。
【００１２】
ケースの単純かつ一体型の構造および個々のケースとしての適用性を最大限に活かし、同タイプのケースを積み上げ可能にして処理および輸送に適したケースは、世界中で唯一である。
【発明を実施するための最良の形態】
【００１３】
同タイプのケースと結合可能な一体型ディスク収納ケースは、射出成形技術により単一のピースとして重合体材料で形成される。完全に開いている一方で、ケースは射出成形されるので、ケースのすべての部品は１つのレベルに存在する。ケースは、可撓性折り畳み継手３によって連結される下部１および上部２から構成される。下部１および上部２は、丸コーナおよび丸みのある前方側面を有するほぼミラー対称の薄い正方形プレートの形状を有する。下部１および上部２は、後部側面で１つまたはいくつかの折り畳み継手３によって一体へ連結される。全開位置において、折り畳み継手３は、上部２と下部１とを連結し、その弧形が中央において最も薄いような短い橋の形状を有する。ケース部の内側表面は、ＣＤまたはＤＶＤのような円形平面ディスクを保持するために成形される。
【００１４】
図１、３および４に示される下部１の内部は、その円形くぼみの外側がプレート補強リブのシステムおよび連結要素のシステムと適合する正方形プレートによって押される浅い円形くぼみとして設計される。下部１の内部の中央は、ディスクの開口の直径より僅かに小さい直径、および、ディスクの厚みより大きい高さを有するディスクを保持し、集めるための環状凸部と適合する。この突起に同心で、ディスクを支持するための他の環状凸部が存在する。この突起の外径は、能動ディスク表面の最も小さい直径より小さく、高さは、この突起で支えられるディスクがいかなる形であれ下部１に接触しないように存在する。下部１に収納されるディスクの円形のエッジは、くぼみの底部より上に持ち上げられるので、ディスクは、下部１から容易に取り出すことができる。ディスク周囲の環状リブ部分と矩形板のエッジに沿ったリブ部分との間に位置する下部１の角表面は、弾性コンソール４の形でケースを結合するための要素を適合する。弾性コンソール４は、下部１が弾性コンソール４の３つの側面から、スロット５を適合し、このスロットが下部１に連結される第４の側面上にある下部１との関係からそれを開放するような方法で設計される下部１の矩形の部品である。弾性コンソール４は、下部１の内側表面の方へ、軽微な角度で最初は傾けられる。
【００１５】
図１、３および４において示される上部２の内部は、下部１の補強のためのリブのシステムにミラー対称である上部２を補強するリブのシステムと円形くぼみの外側で適合する正方形プレートにおいて押される浅い円形くぼみとして形成される。上部２の角表面は、ディスク周囲の環状リブと正方形プレートのエッジに沿ったリブとの間における段階状スロット６と適合する。ケースの上部２上の段階状スロット６の配置は、ケースの下部１上のコンソール４の湾曲した端部のミラー対称像に適合する。
【００１６】
ケースの部分の外面は、積重ねおよびケースの内容についてのラベルをつける間、ケースの介在を可能にするような方法で設計される。
【００１７】
弾性コンソール４の隣の角表面上の図２および４に示される下部１の外面は、球面突起７と適合し、図２および４に示される上部２の外面は、球面くぼみ８に適合する。ケースの下部１の外面上の球面突起７の配置は、ケースの上部２上の球面くぼみ８のミラー対称像に適合する。上部２の外面の正面の部品は、ケースの内容についての情報のラベルのための浅い矩形のくぼみ９と適合する。
【００１８】
完成したケースは、一方を他方の方へ折り畳み継手３周辺でケースの部品を、上部２のリブの表面が下部１のリブの表面にすべり落ちるまで回転させることにより、下部１の方へ上部２を折り畳むことによって閉じられる。ケースは、図５においてさらに詳細に示されるケースの前方側面に設計されたケースの下部１と上部２との間の嵌めこみ係合‐開放結合によって適所に係止される。上部２が２つの横方向のスロット１１、および、ケースの上部２の横の溝１２によって形成される弾性コンソール１０によって、この結合は形成される。上部２の内部上の横の溝１２は、弾性コンソール１０がケースの係止および開放の間折り畳まれる弾性コンソール１０の付け根で横断面を弱めることを表わす。弾性コンソール１０の全体の幅は、歯１４を有する垂直のつまみ１３と適合する。下部１の前の横方向の側面は、溝１５と適合する。係止および開放の間、歯１４は、エッジ１６上を摺動することによって、溝１２のコンソール１０の可撓性のために、溝１５と係合し、およびそこから離れる。一方のケースの係止された部分を結合する結合力は、多数のディスク収納ケースの重量より大きいので、いくつかのケースの積重ねは、積み重ねられたケースの上部を保持することによって担持することができる。ケースは、歯１４および溝１５を分離している溝１２のそれを曲げて、弾性コンソール１０の緩んだ端部を持ち上げるために用いられる力の運動量によって開放される。同タイプの２およびそれ以上のケースは、介在するための要素、および、図６においてさらに詳細に示されるケースの相互接続のための要素を用いて、分離可能な積重ねに結合することができる。
【００１９】
閉じたおよび係止されたケースにおいて、他のケースは、それが配置されるケースと同じ方向に正しい位置に配置される。ケースが配置されるので、上部ケースの下部１上の球面突起７は、下部のケースの上部２上の嵌合球面くぼみ８に挿入される。２つのケースを適切に配置した後、連結要素へのアクセスを可能にするため開かれなければならない上部ケースとケースを相互接続する要素により、これらは積重ねることができる。
【００２０】
２つの適切に配置されたケースは、上部ケースの下部１において記載された方法で設計された弾性コンソール４によって連結される。最初はケースの内部の方へ小さい角度で傾けられる弾性コンソール４は、横断面を弱めることにより、溝１７と適合する付け根において弾性力をもって折り畳まれることができる。弾性コンソール４の緩い端部は直角で下方に曲げられるので、それは、歯１９を有して低い突出要素１８を形成する。適切に配置されたケースの場合には、弾性コンソール４の突出要素１８は、下部のケースの上部２上の段階状スロット６より上に位置する。ケースは、付け根で弾性コンソール４を折り畳むことによって段階状スロット６に弾性コンソール４の突出要素１８を押圧することにより結合され、歯１９はスロット６におけるステップ２０に係止される。弾性コンソール４へのアクセスを可能にするように上部ケースが開いている間だけ、２つのケースは結合することができる。
【００２１】
このように、図７に示されるように、２つまたはそれ以上の同タイプのケースは、処理および輸送のために適切であるように分離可能な積重ねに結合することができる。ディスクの有無にかかわらず、閉じたケースは、いかなる方向へのケースの相互関係のある運動の可能性なしで機械的に積み重ねられた一体の集合を表わす。２つのケースを連結している結合力は、ディスクを保持している多数のケースの多数の重量より大きいので、いくつかのディスク収納ケースの積重ねは、積み重ねられたケースの上部のケースを保持することにより担持することができる。積重ねは、積重ねを手で伸ばし、一方の手で下部のケースを保持し、他方の手で上部ケースを持ち上げることによっていかなる点においてでも分離することができる。これは、ケースを相互接続する要素によって形成された嵌め合い係合‐開放結合の分離に結果としてなる。新規なケースは、積重ねの範囲内でいかなる位置においても、積重ねに加えられる、または、それから開放することができる。ディスクは、積み重ねられたケースの係止結合を分離することによって、連結されたケースの積重ねを分解する必要なく積み重ねられたケースに挿入、または、そこから取り出すことができる。
【図面の簡単な説明】
【００２２】
【図１】ケースの下部および上部の内側の表面からみたデジタル情報キャリアのための完全に開いた一体のケースを示す。
【図２】ケースの上下の部分からみたデジタル情報キャリアのための完全に開いた一体のケースを示す。
【図３】ケースの下部および上部の内側の表面からみたデジタル情報キャリアのための完全に開いた一体のケースのレイアウトを示す
【図４】図３のケースの横断面Ａ‐Ａを示す。
【図５】それらの前方側面に適合されたケースの下部および上部の間の係止および解放要素の詳細を有する同タイプのいくつかのケースの積重ねの横断面を示す。
【図６】ケースの後部側面に適合するケースを相互接続するために、介在するケース要素の詳細および要素の詳細を有する同タイプのいくつかのケースの積重ねの横断面を示す。
【図７】１つのケースがそれに収納されたディスクおよびケース連結要素にアクセスするため開いた同タイプのいくつかのケースの積重ねを示す。
【符号の説明】
【００２３】
１  下部
２  上部
３  可撓性折り畳み継手
【図１】
2006525200.tif 000003
【図２】
2006525200.tif 000004
【図３】
2006525200.tif 000005
【図４】
2006525200.tif 000006
【図５】
2006525200.tif 000007
【図６】
2006525200.tif 000008
【図７】
2006525200.tif 000009
【国際調査報告】
2006525200.tif 000010
2006525200.tif 000011
2006525200.tif 000012